(57)【要約】【課題】  直接操作ができない押しボタンスイッチに対し動作を伝達する手段を実現する一方、複数の方向から操作出来る押しボタンスイッチ装置を実現する。【解決手段】  操作機構部が押しボタンスイッチにスイッチ動作を伝達する電子機器の押しボタンスイッチ装置において、  一端側にスイッチ動作が加えられる操作部と、この操作部の他端側に設けられスイッチ動作方向と異なる方向に動作方向を変更する動作方向変更手段と、前記操作部の他端側の側面に設けられ前記異なる方向と同方向に操作軸が配置された押しボタンスイッチとを具備したことを特徴とする押しボタンスイッチ装置である。【選択図】                    図１
2006164641.tif 000002
【特許請求の範囲】
【請求項１】
操作機構部が押しボタンスイッチにスイッチ動作を伝達する電子機器の押しボタンスイッチ装置において、
一端側にスイッチ動作が加えられる操作部と、
この操作部の他端側に設けられスイッチ動作方向と異なる方向に動作方向を変更する動作方向変更手段と、
前記操作部の他端側の側面に設けられ前記異なる方向と同方向に操作軸が配置された押しボタンスイッチと
を具備したことを特徴とする押しボタンスイッチ装置。
【請求項２】
前記操作部は、一端側が前記機器に係止され他端に前記動作方向変更手段が設けられたこと
を特徴とする請求項１記載の押しボタンスイッチ装置。
【請求項３】
前記操作部は、一端側が前記機器に係止され他端に前記動作方向変更手段が設けられＬ字形をなすこと
を特徴とする請求項１又は請求項２記載の押しボタンスイッチ装置。
【請求項４】
前記動作方向変更手段は、前記操作部の他端に設けられた第１の斜面部と、
この第１の斜面部に対向して前記機器本体に設けられた第２の斜面部とを有すること
を特徴とする請求項１乃至請求項３の何れかに記載の押しボタンスイッチ装置。
【請求項５】
前記動作方向変更手段は、前記操作部の他端に設けられた球面部あるいは円筒部と、
この球面部あるいは円筒部に対向して前記機器本体に設けられた第２の斜面部とを有すること
を特徴とする請求項１乃至請求項３の何れかに記載の押しボタンスイッチ装置。
【請求項６】
前記操作部の他端側に前記押しボタンスイッチに対向して設けられた凸部
を具備したことを特徴とする請求項１乃至請求項５の何れかに記載の押しボタンスイッチ装置。
【請求項７】
前記操作部は、複数の操作部分が直列に連続して接続されたこと
を特徴とする請求項１乃至請求項６の何れかに記載の押しボタンスイッチ装置。
【請求項８】
前記操作部は、一端側が接続されて並列に配置された複数の操作部分を有すること
を特徴とする請求項１乃至請求項７の何れかに記載の押しボタンスイッチ装置。
【請求項９】
操作機構部が押しボタンスイッチにスイッチ動作を伝達する電子機器の押しボタンスイッチ装置において、
複数方向からのスイッチ動作に対して同一の押しボタンスイッチにスイッチ動作を伝達する操作部
を具備したことを特徴とする押しボタンスイッチ装置。
【請求項１０】
一端側に第１のスイッチ動作が加えられる操作部と、
この操作部の他端側に設けられ第１のスイッチ動作方向と異なる方向に動作方向を変更する動作方向変更手段と、
前記操作部の他端側の側面に設けられ前記異なる方向と同方向に操作軸が配置された押しボタンスイッチと、
前記操作軸と同方向に第２のスイッチ動作が加えられる前記操作部と、
前記第１，第２のスイッチ動作は選択的に使用されること
を特徴とする請求項９記載の押しボタンスイッチ装置。
【発明の詳細な説明】
【技術分野】
【０００１】
本発明は、押しボタンスイッチ装置に関するものである。
更に詳述すれば、直接操作ができない押しボタンスイッチに対し動作を伝達する手段を実現する一方、複数の方向から操作出来る押しボタンスイッチ装置に関するものである。
【背景技術】
【０００２】
押しボタンスイッチ装置に関連する先行技術文献としては次のようなものがある。
【０００３】
【非特許文献１】有限会社ヒューマンデータホームページ／製品案内／スパルタンＩＩ学習ボード  ＭＯＤＥＬ  ＸＳＰ−００６、［平成１６年１１月２４日検索］インターネット＜ＵＲＬ：http://www.hdl.co.jp/xsp006-150.html＞
【０００４】
一般に、電子機器において、押しボタンスイッチはプリント基板に直接に搭載されるものが多く、電子機器の内部に配置され、電子機器の表面から直接操作が出来ない場合が多い。
図６は、このような場合に、従来より一般に使用されている従来例の要部構成説明図である。
【０００５】
図において、電子機器のケース１の内部に配置されたプリント基板２に押しボタンスイッチ３が配置されている。
棒状の操作部品４は押しボタンスイッチ３に対向して配置されている。
操作窓５は、操作部品４に対向してケース１に設けられている。
ガイド６は、操作部品４が矢印Ａ方向に動作するのをガイドする。
【０００６】
以上の構成において、操作窓５から操作部品４を介して、直接操作困難な押しボタンスイッチ３に動作を伝える。
【発明の開示】
【発明が解決しようとする課題】
【０００７】
電子機器とりわけコンピュータ技術の進歩に伴い、機器自体の小型化が進み機器表面の操作部等に使用できる領域は確実に狭まりつつある。
また、機器の高機能化と小型化は機器表面の領域にとどまらず機器内部の部品の配置自体にも大きな制約となり、スイッチ等を直接操作可能な、機器の表面に実装できない場合も多く、ケーブル等による接続は組立時の遊び分の収納スペースの必要性や組立性自体の低下を招く。
【０００８】
また、奥に実装された押しボタンスイッチの操作は、棒状の操作部品を介して動作を伝える場合においても、操作部品自体の移動を伴う動作の伝達では、操作部品の保持構造が複雑となる他、操作部品に大きな剛性がないと動作の伝達が不安定となる他、操作方向とスイッチの動作方向が一致していることが必要となるなど、全体の構成の設計に対し大きな制約となっていた。
【０００９】
本発明の目的は、上記の課題を解決するもので、簡単かつ省スペースな構成により、直接操作ができないスイッチ等に対し動作を伝達する手段を実現する。
一方、電子機器が様々な姿勢に設置された場合に、複数の方向からの操作に対して、複数の押しボタンスイッチを配置することなく、同一の押しボタンスイッチに対して操作出来る押しボタンスイッチ装置を提供することを目的とする。
【課題を解決するための手段】
【００１０】
このような課題を達成するために、本発明では、請求項１の押しボタンスイッチ装置においては、
操作機構部が押しボタンスイッチにスイッチ動作を伝達する電子機器の押しボタンスイッチ装置において、
一端側にスイッチ動作が加えられる操作部と、この操作部の他端側に設けられスイッチ動作方向と異なる方向に動作方向を変更する動作方向変更手段と、前記操作部の他端側の側面に設けられ前記異なる方向と同方向に操作軸が配置された押しボタンスイッチとを具備したことを特徴とする。
【００１１】
本発明の請求項２においては、請求項１記載の押しボタンスイッチ装置において、
前記操作部は、一端側が前記機器に係止され他端に前記動作方向変更手段が設けられたことを特徴とする。
【００１２】
本発明の請求項３においては、請求項１又は請求項２記載の押しボタンスイッチ装置において、
前記操作部は、一端側が前記機器に係止され他端に前記動作方向変更手段が設けられＬ字形をなすことを特徴とする。
【００１３】
本発明の請求項４においては、請求項１乃至請求項３の何れかに記載の押しボタンスイッチ装置において、
前記動作方向変更手段は、前記操作部の他端に設けられた第１の斜面部と、この第１の斜面部に対向して前記機器本体に設けられた第２の斜面部とを有することを特徴とする。
【００１４】
本発明の請求項５においては、請求項１乃至請求項３の何れかに記載の押しボタンスイッチ装置において、
前記動作方向変更手段は、前記操作部の他端に設けられた球面部あるいは円筒部と、この球面部あるいは円筒部に対向して前記機器本体に設けられた第２の斜面部とを有することを特徴とする。
【００１５】
本発明の請求項６においては、請求項１乃至請求項５の何れかに記載の押しボタンスイッチ装置において、
前記操作部の他端側に前記押しボタンスイッチに対向して設けられた凸部を具備したことを特徴とする。
【００１６】
本発明の請求項７においては、請求項１乃至請求項６の何れかに記載の押しボタンスイッチ装置において、
前記操作部は、複数の操作部分が直列に連続して接続されたことを特徴とする。
【００１７】
本発明の請求項８においては、請求項１乃至請求項７の何れかに記載の押しボタンスイッチ装置において、
前記操作部は、一端側が接続されて並列に配置された複数の操作部分を有することを特徴とする。
本発明の請求項９の押しボタンスイッチ装置においては、
操作機構部が押しボタンスイッチにスイッチ動作を伝達する電子機器の押しボタンスイッチ装置において、
複数方向からのスイッチ動作に対して同一の押しボタンスイッチにスイッチ動作を伝達する操作部を具備したことを特徴とする押しボタンスイッチ装置。
【００１８】
本発明の請求項１０おいては、請求項９記載の押しボタンスイッチ装置において、
一端側に第１のスイッチ動作が加えられる操作部と、この操作部の他端側に設けられ第１のスイッチ動作方向と異なる方向に動作方向を変更する動作方向変更手段と、前記操作部の他端側の側面に設けられ前記異なる方向と同方向に操作軸が配置された押しボタンスイッチと、前記操作軸と同方向に第２のスイッチ動作が加えられる前記操作部と、前記第１，第２のスイッチ動作は選択的に使用されることを特徴とする。
【発明の効果】
【００１９】
以上説明したように、本発明の請求項１によれば、次のような効果がある。
直接操作が困難な押しボタンスイッチスイッチ等の部品への確実な操作の伝達が可能となる押しボタンスイッチ装置が得られる。
操作部は、複数方向からスイッチ動作が操作可能であるので、機器を様々な姿勢で実装することが可能となる押しボタンスイッチ装置が得られる。
【００２０】
本発明の請求項２によれば、次のような効果がある。
操作部は、一端側が機器に係止され他端に動作方向変更手段が設けられたので、構成が簡潔に出来,安価な押しボタンスイッチ装置が得られる。
【００２１】
本発明の請求項３によれば、次のような効果がある。
操作部は、一端側が前記機器に係止され他端に動作方向変更手段が設けられＬ字形をなすので、操作部が機器ケースの内面に沿って配置出来るために、操作伝達のための構造に必要なスペースが極小化出来、機器自体の設計の制約が小さく出来る押しボタンスイッチ装置が得られる。
【００２２】
操作部は、一端側が前記機器に係止され他端に動作方向変更手段が設けられＬ字形をなすので、スイッチ動作を加える個所の面積が広く取れ、操作が容易な押しボタンスイッチ装置が得られる。
【００２３】
本発明の請求項４によれば、次のような効果がある。
動作方向変更手段は、操作部の他端に設けられた第１の斜面部と、この第１の斜面部に対向して機器本体に設けられた第２の斜面部とを有するので、斜面という平面同士を用いているので、操作量に対する安定した変位量の推定が容易となる設計上の長所がある押しボタンスイッチ装置が得られる。
【００２４】
本発明の請求項５によれば、次のような効果がある。
動作方向変更手段は、操作部の他端に設けられた球面部と、この球面部に対向して機器本体に設けられた第２の斜面部とを有するので、球面部と斜面部との接触であるので、摩擦が小さく出来、スイッチ動作力は小さくて済み、操作が容易な押しボタンスイッチ装置が得られる。
【００２５】
本発明の請求項６によれば、次のような効果がある。
操作部の他端側に押しボタンスイッチに対向して凸部が設けられたので、プリント基板外周部分になく、プリント基板の内側の奥の方にある押しボタンスイッチに対して操作したり、複数存在するプリント基板の背面側の押しボタンスイッチを操作することが可能となる押しボタンスイッチ装置が得られる。
【００２６】
本発明の請求項７によれば、次のような効果がある。
操作部は、複数の操作部が直列に連続して接続されたので、プリント基板背面のスイッチにもアクセス可能となり、スイッチ動作が操作可能な方向が更に増加する押しボタンスイッチ装置が得られる。
【００２７】
本発明の請求項８によれば、次のような効果がある。
前記操作部は、一端側が接続されて並列に配置された複数の操作部を有するので、より省スペース化が容易となる押しボタンスイッチ装置が得られる。
【００２８】
本発明の請求項９によれば、次のような効果がある。
操作部は、複数方向からスイッチ動作が操作可能であるので、機器を様々な姿勢で実装することが可能となる押しボタンスイッチ装置が得られる。
【００２９】
本発明の請求項１０によれば、次のような効果がある。
操作部は、２方向からスイッチ動作が操作可能であるので、機器の２表面方向から操作可能な押しボタンスイッチ装置が得られる。
【発明を実施するための最良の形態】
【００３０】
以下本発明を図面を用いて詳細に説明する。
図１は本発明の一実施例の要部構成説明図である。
操作部１１は、一端側にスイッチ動作Ａが加えられる。
動作方向変更手段１２は、操作部１１の他端側に設けられ、スイッチ動作方向Ａと異なる方向Ｂに動作方向を変更する。
【００３１】
この場合は、スイッチ動作方向Ａに対して直角方向に動作方向Ｂを変更する。
操作部１１は、一端側が機器１に係止１１１され、他端に動作方向変更手段１２が設けられＬ字形をなす。この場合は、機器１に固定１１１されている。
操作部１１は、機器ケース１との固定部１１１を固定端としたたわみ動作が可能に構成されている。
【００３２】
動作方向変更手段１２は、この場合は、操作部１１の他端に設けられた第１の斜面部１２１と、この第１の斜面部１２１に対向して機器本体１に設けられた第２の斜面部１２２とを有する。
押しボタンスイッチ１３は、操作部１１の他端側の側面に設けられ、異なる方向Ｂと同方向に操作軸が配置されてる。
【００３３】
押しボタンスイッチ１３は、この場合は、プリント基板２に配置されている。
１４，１５は、機器本体１に設けられた操作窓である。
従って、操作部１１は、操作窓１４，１５を介して、２方向（矢印Ａ，Ｃ）からスイッチ動作が操作可能である。
【００３４】
以上の構成において、操作部１１に対し、操作窓１４を介して矢印Ａ方向にスイッチ動作が加えられた場合、操作部１１は固定端１１１に対してたわみ変形を生じ、操作部１１の先端は、下方に移動しようとするが、第１の斜面部１２１は第２の斜面部１２２の抗力により矢印Ｂ方向に変形移動し、押しボタンスイッチ１３に対し押し動作として伝えられる。
【００３５】
また、操作部１１に対し、操作窓１５を介して矢印Ｃ方向にスイッチ動作が加えられた場合、上記と同様に固定部１１１を固定端としたたわみ変形により押しボタンスイッチ１３に対し押し動作が伝えられる。
【００３６】
この結果、直接操作が困難な押しボタンスイッチ１３への確実な操作の伝達が可能となる。
また複数の方向から同一の押しボタンスイッチ１３への操作が実現され、機器を様々な姿勢で実装することが可能となる。
【００３７】
操作部１１は、一端側が機器１に係止され、他端に動作方向変更手段１２が設けられＬ字形をなすので、スイッチ動作を加える個所の面積が広く取れ、操作が容易な押しボタンスイッチ装置が得られる。
【００３８】
動作方向変更手段１２は、操作部１１の他端に設けられた第１の斜面部１２１と、この第１の斜面部１２１に対向して機器本体１に設けられた第２の斜面部１２２とを有するので、斜面という平面同士を用いているので、操作量に対する安定した変位量の推定が容易となる設計上の長所がある押しボタンスイッチ装置が得られる。
【００３９】
なお、上記の動作説明中、操作部１１に対する矢印Ａ方向のスイッチ動作に対し、斜面部１２１，１２２がなくとも、固定端１１１を中心とした回転運動により、押しボタンスイッチ１３へのスイッチ動作が出来るように思われる。
しかしそれには、操作部１１に大きな剛性が必要であり、操作部１１の形状やサイズに大きな制約が生ずる、一方、スイッチ１３に対する押し動作の伝達が不安定となりやすい。
【００４０】
しかしながら、本発明の斜面部１２１，１２２が設けられることにより、剛性が小さな材質や形状の操作部１１でも、押し下げた変形量に対する押し動作の変位量の推定が容易となる他、操作部１１が機器ケース１の内面に沿って配置出来るために、操作伝達のための構造に必要なスペースが極小化出来、機器自体の設計の制約が小さく出来る押しボタンスイッチ装置が得られる。
【００４１】
図２は本発明の他の実施例の要部構成説明図である。
本実施例においては、動作方向変更手段２１は、操作部１１の他端に設けられた球面部２１１と、この球面部２１１に対向して、機器本体１に設けられた第２の斜面部１２２とを有する。なお、球面部２１１でなく円筒部１１でも良い。
【００４２】
凸部２２は、操作部１１の他端側に、押しボタンスイッチ２３に対向して設けられている。
押しボタンスイッチ２３は、プリント基板２の内側の奥の方にあり、且つ、複数存在するプリント基板２の背面側にある。
【００４３】
この結果、
動作方向変更手段２１は、操作部１１の他端に設けられた球面部２１１と、この球面部２１１に対向して機器本体１に設けられた第２の斜面部１２２とを有するので、球面部２１１と斜面部１２２との接触であるので、摩擦が小さく出来、スイッチ動作力は小さくて済み、操作が容易な押しボタンスイッチ装置が得られる。
【００４４】
操作部１１の他端側に、押しボタンスイッチ２３に対向して凸部２２が設けられたので、プリント基板２の外周部分になく、プリント基板２の内側の奥の方にある押しボタンスイッチ２３に対して操作したり、複数存在するプリント基板２の背面側の押しボタンスイッチ２３を操作することが可能となる押しボタンスイッチ装置が得られる。
【００４５】
図３は本発明の他の実施例の要部構成説明図である。
本実施例においては、操作部３１は、複数の操作部分３１１，３１２が直列に連続して接続されている。
動作方向変更手段３２は、操作部３１の他端側に設けられ、スイッチ動作方向Ｂと異なる方向Ｄに動作方向を変更する。
【００４６】
動作方向変更手段３２は、この場合は、操作部３１の他端に設けられた第１の斜面部３２１と、この第１の斜面部３２１に対向して機器本体１に設けられた第２の斜面部３２２とを有する。
押しボタンスイッチ３３は、操作部３１の他端側の側面に設けられ、異なる方向Ｄと同方向に操作軸が配置されてる。
【００４７】
押しボタンスイッチ３３は、この場合は、プリント基板２の背面に配置されている。
１４，１５，１６は、機器本体１に設けられた操作窓である。
従って、操作部３１は、操作窓１４，１５，１６を介して、３方向Ａ，Ｃ，Ｅからスイッチ動作が操作可能である。
【００４８】
この結果、操作部３１は、複数の操作部３１１，３１２が直列に連続して接続されたので、プリント基板２の背面の押しボタンスイッチ３３にもアクセス可能となり、スイッチ動作が操作可能な方向が更に増加する押しボタンスイッチ装置が得られる。
【００４９】
図４は本発明の他の実施例の要部構成説明図である。
本実施例においては、操作部４１は、一端側が機器のケース１に係止され他端に動作方向変更手段１２が設けられている。
ガイド４２は、操作部４１が矢印Ａ方向に動作するのをガイドする。
この結果、操作部４１は、一端側が機器１に係止され他端に動作方向変更手段１２が設けられたので、構成が簡潔に出来,安価な押しボタンスイッチ装置が得られる。
【００５０】
図５は本発明の他の実施例の要部構成説明図である。
本実施例においては、操作部５１は、一端側５１２が接続されて並列に配置された複数の操作部分５１１を有する。
この結果、操作部５１は、一端側５１２が接続されて並列に配置された複数の操作部分５１１を有するので、より省スペース化が容易となる押しボタンスイッチ装置が得られる。
【００５１】
なお、動作方向変更手段１２，２１，３２は、斜面同士、あるいは斜面と球面、あるいは斜面と円筒面に限る事は無く、要するに、操作部１１，３１に伝えられた動作を押しボタンスイッチ１３，２３，３３に伝えるたわみを生じさせるために、操作部１１，３１外からの抗力を利用するものであれば良い。
【００５２】
また、操作部１１，３１の固定端は必ずしも機器ケース１に完全に固定される必要はなく、スイッチ動作が動作方向変更手段１２，２１，３２に伝わる構造であれば良いことは勿論である。
【００５３】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００５４】
【図１】本発明の一実施例の要部構成説明図である。
【図２】本発明の他の実施例の要部構成説明図である。
【図３】本発明の他の実施例の要部構成説明図である。
【図４】本発明の他の実施例の要部構成説明図である。
【図５】本発明の他の実施例の要部構成説明図である。
【図６】従来より一般に使用されている従来例の要部構成説明図である。
【符号の説明】
【００５５】
１      ケース
２      プリント基板
３      押しボタンスイッチ
４      操作部品
５      操作窓
６      ガイド
１１    操作部
１１１  固定部
１２    動作方向変更手段
１２１  第１の斜面部
１２２  第２の斜面部
１３    押しボタンスイッチ
１４    操作窓
１５    操作窓
１６    操作窓
２１    動作方向変更手段
２１１  球面部
２２    凸部
２３    押しボタンスイッチ
３１    操作部
３１１  操作部分
３１２  操作部分
３２    動作方向変更手段
３２１  第１の斜面部
３２２  第２の斜面部
３３    押しボタンスイッチ
４１    操作部
４２    ガイド
５１    操作部
５１１  操作部分
５１２  一端側
【図１】
2006164641.tif 000003
【図２】
2006164641.tif 000004
【図３】
2006164641.tif 000005
【図４】
2006164641.tif 000006
【図５】
2006164641.tif 000007
【図６】
2006164641.tif 000008